(57)【要約】  移動通信システムにおける基地局と移動局との間の状態同期化のためのシステム及び方法を提供する。基地局の状態変更を示すカウント値が受信される。該受信された現在のカウント値は、以前に受信されて格納された以前のカウント値と比較される。現在のカウント値が以前のカウント値と異なる場合には、移動局は、基地局とネットワーク進入手順を遂行する。【選択図】図７
2008547352.tif 000002
【特許請求の範囲】
【請求項１】
移動通信システムの移動局における基地局との状態同期化のための方法であって、
前記基地局の状態変更を示す現在のカウント値を受信するステップと、
該受信された現在のカウント値を以前に受信されて格納された以前のカウント値と比較するステップと、
前記現在のカウント値が前記以前のカウント値と相互に異なる場合には、前記基地局とネットワーク進入手順を遂行するステップと、
を含むことを特徴とする方法。
【請求項２】
前記受信するステップは、
前記基地局がクリティカルエラー又はオペレータの意図により再起動する場合には、前記現在のカウント値を前記以前のカウント値と異なるように設定するステップと、
該設定されたカウント値を前記移動局へ送信するステップと、
をさらに含むことを特徴とする請求項１に記載の方法。
【請求項３】
移動通信システムの基地局における移動局との状態同期化のための方法であって、
前記基地局を再起動するステップと、
前記再起動に従うカウント値を設定し、該設定されたカウント値を前記移動局へ送信するステップと、
前記移動局とネットワーク進入手順を遂行するステップと、
を含むことを特徴とする方法。
【請求項４】
前記設定するステップは、前記基地局が再起動する場合には、前記カウント値を以前のカウント値と異なるように設定するステップをさらに含むことを特徴とする請求項３に記載の方法。
【請求項５】
移動通信システムにおける基地局と移動局との間の状態同期化のためのシステムであって、
前記移動局と前記基地局との間の状態変更を示す現在のカウント値を設定して送信する前記基地局と、
前記基地局から前記設定されたカウント値を受信し、該受信された現在のカウント値を以前に受信されて格納された以前のカウント値と比較して、前記現在のカウント値が前記以前のカウント値と異なる場合には、前記基地局とネットワーク進入手順を遂行する前記移動局と、
を含むことを特徴とするシステム。
【請求項６】
前記基地局は、再起動の際に、前記以前のカウント値とは異なる前記現在のカウント値を設定することを特徴とする請求項５に記載のシステム。
【請求項７】
移動通信システムにおける基地局と移動局との間の状態同期化のための方法であって、
前記基地局の状態変更を示すカウント値を設定し、該設定されたカウント値を含む基地局リセット指示子（ＢＳ_ＲＥＳＥＴ_ＩＮＤ）メッセージを前記移動局へ送信するステップと、
前記移動局が前記基地局リセット指示子メッセージに含まれた前記設定されたカウント値を抽出するステップと、
前記抽出されたカウント値を以前に抽出されて格納された以前のカウント値と比較するステップと、
前記設定されたカウント値が前記以前のカウント値と異なる場合には、前記基地局とネットワーク進入手順を遂行するステップと、
を含むことを特徴とする方法。
【請求項８】
前記設定するステップは、基地局が再起動する際に、前記カウント値を前記以前のカウント値と異なるように設定するステップをさらに含むことを特徴とする請求項７に記載の方法。
【請求項９】
前記状態変更は、基地局構成／設定情報、前記移動局との接続に関する情報、前記移動局の現在のモードに関する状態情報、及び移動局構成／設定情報のうちの少なくとも１つが変更される状態を示すことを特徴とする請求項７に記載の方法。
【請求項１０】
移動通信システムにおける基地局と移動局との間の状態同期化のための方法であって、
前記基地局に関連した状態変更を示すカウント値を設定し、タイプ／長さ／値（ＴＬＶ）エンコーディングフィールドを構成して前記移動局へ送信するステップと、
前記移動局が前記ＴＬＶエンコーディングフィールドに含まれた前記設定されたカウント値を抽出するステップと、
前記抽出された前記設定されたカウント値を、以前に抽出されて格納された以前のカウント値と比較するステップと、
前記設定されたカウント値が前記以前のカウント値と異なる場合には、前記基地局とネットワーク進入手順を遂行するステップと、
を含むことを特徴とする方法。
【請求項１１】
前記設定するステップは、基地局が再起動する際に、前記カウント値を前記以前のカウント値と異なるように設定するステップをさらに含むことを特徴とする請求項１０に記載の方法。
【請求項１２】
前記状態変更は、基地局構成／設定情報、前記移動局との接続に関する情報、前記移動局の現在のモードに関する状態情報、及び移動局構成／設定情報のうちの少なくとも１つが変更される状態を示すことを特徴とする請求項１０に記載の方法。
【請求項１３】
前記設定するステップは、ダウンリンクバーストプロフィールを含んでいるダウンリンクチャネルディスクリプト（ＤＣＤ）メッセージ内の前記ＴＬＶエンコーディングフィールドを送信するステップをさらに含むことを特徴とする請求項１０に記載の方法。
【請求項１４】
移動通信システムにおける基地局と移動局との間の状態同期化のための方法であって、
前記基地局に関連した状態変更を示すカウント値を設定し、該設定されたカウント値を含むダウンリンクフレームプレフィックス（ＤＬＦＰ）を構成して送信するステップと、
前記移動局が、前記ＤＬＦＰに含まれた前記設定されたカウント値を抽出するステップと、
該抽出された前記設定されたカウント値を以前に格納された以前のカウント値と比較するステップと、
前記設定されたカウント値が前記以前のカウント値と異なる場合には、前記基地局とネットワーク進入手順を遂行するステップと、
を含むことを特徴とする方法。
【請求項１５】
前記設定するステップは、基地局が再起動する際に、前記カウント値を前記以前のカウント値と異なるように設定するステップをさらに含むことを特徴とする請求項１４に記載の方法。
【請求項１６】
前記状態変更は、基地局構成／設定情報、前記移動局との接続に関する情報、前記移動局の現在のモードに関する状態情報、及び移動局構成／設定情報のうちの少なくとも１つが変更される状態を示すことを特徴とする請求項１４に記載の方法。
【請求項１７】
移動通信システムの移動局における基地局との状態同期化のための方法であって、
初期レンジング要求を前記基地局へ送信するステップと、
前記基地局の状態変更の回数を示す第１のカウント値を含む、前記初期レンジング要求に対する応答を、前記基地局から受信するステップと、
前記第１のカウント値を格納するステップと、
前記基地局から状態変更の回数を示す第２のカウント値を受信するステップと、
前記第２のカウント値が前記第１のカウント値と異なる場合には、前記基地局とネットワーク進入手順を遂行するステップと、
を含むことを特徴とする方法。
【発明の詳細な説明】
【技術分野】
【０００１】
本発明は、移動通信システムに関し、特に、周波数多重化方式を使用する移動通信システムにおける基地局と移動局との間の状態同期化のためのシステム及び方法に関する。
【背景技術】
【０００２】
ＩＥＥＥ（Institute of Electrical and Electronics Engineers）８０２．１６通信システムは、加入者端末機と基地局との間で交渉された接続情報を用いて通信を遂行する。
【０００３】
図１は、従来のＩＥＥＥ８０２．１６通信システムの構成を概略的に示す図である。
【０００４】
図１に関連して、無線メトロポリタンエリアネットワーク（ＭＡＮ）通信システムは、広帯域無線接続（ＢＷＡ）通信システムとして機能するものであり、無線ローカルエリアネットワーク（ＬＡＮ）通信システムと比較して、より広いサービス領域及びより高速の送信速度を支援する。ＩＥＥＥ８０２．１６通信システムは、無線ＭＡＮ通信システムの物理チャネルに、広帯域送信ネットワークを支援するために、直交周波数分割多重（Orthogonal Frequency Division Multiplexing；以下、“ＯＦＤＭ”と称する。）方式及び／又は直交周波数分割多重接続（Orthogonal Frequency Division Multiplexing Access；以下、“ＯＦＤＭＡ”と称する。）方式を採用する。すなわち、ＩＥＥＥ８０２．１６通信システムは、ＯＦＤＭ／ＯＦＤＭＡ方式を使用するＢＷＡ通信システムである。
【０００５】
ＩＥＥＥ８０２．１６通信システムが無線ＭＡＮ通信システムにおいてＯＦＤＭ／ＯＦＤＭＡ方式を採用するため、複数のサブキャリアを通して物理チャネル信号を送信することができ、従って、高速のデータを送信することができる。
【０００６】
図１を参照すると、ＩＥＥＥ８０２.１６通信システムは、マルチセル構造、すなわち、セル１００とセル１５０とを有し、セル１００を管理する基地局（Base Station；ＢＳ）１１０と、セル１５０を管理するＢＳ１４０と、多数の移動局（Mobile Station；ＭＳ）１１１，１１３，１３０，１５１，１５３と、を含む。そして、ＢＳ１１０，１４０とＭＳ１１１，１１３，１３０，１５１，１５３との間の信号送受信は、ＯＦＤＭ／ＯＦＤＭＡ方式を使用して遂行される。
【０００７】
図２は、従来の移動通信システムのネットワーク参照モデルを示す図である。
【０００８】
図２を参照すると、ネットワーク参照モデルは、ＭＳ２１０及び２２０と、ＢＳ２３０及び２４０と、認証サーバ（Authentication and Service Authorization；以下、“ＡＳＡ”と称する。）サーバ２５０と、から構成される。
【０００９】
ＭＳ２１０又は２２０とＢＳ２３０又は２４０との間の通信は、“Ｕ”インターフェースを介して遂行される。“Ｕ”インターフェースは、物理（ＰＨＹ）層及び媒体接続制御（ＭＡＣ）層の動作及びメッセージ交換に関連した動作が定義されているインターフェースである。
【００１０】
ＢＳ２３０とＢＳ２４０との間の通信は、“ＩＢ”インターフェースを介して遂行される。“ＩＢ”インターフェースは、ハンドオーバーが遂行されるＭＳに関する情報、ＢＳ状態、及び相手側ＢＳへの要求などに関する情報に関連したメッセージ送信動作が定義されているインターフェースである。
【００１１】
一方、ＢＳ２３０又は２４０とＡＳＡサーバ２５０との間の通信は、“Ａ”インターフェースを介して遂行される。“Ａ”インターフェースは、ＭＳ２１０及び２２０の認証手順のために、ＢＳ２３０又は２４０とＡＳＡサーバ２５０との間の動作及び機能が定義されているインターフェースである。
【００１２】
図３は、従来の移動通信システムにおけるＢＳの内部構成を示す図である。
【００１３】
図３を参照すると、ＢＳは、制御処理器（Control Processor Unit；以下、“ＣＰＵ”と称する。）３１０と、ＯＦＤＭＡ物理層処理器（OFDMA PHY Units；以下、“ＯＰＵ”と称する。）３１５及び３２０と、チャネルユニット（Channel Units；以下、“ＣＨＵ”と称する。）３２５，３３０，３３５，及び３４０と、ネットワーク処理器（Network Processor Unit；以下、“ＮＰＵ”と称する。）３４５と、から構成される。上記構成要素は、システムバス（ＢＵＳｓ）に接続される。データ及び制御情報は、当該バスを介して送受信される。
【００１４】
ＯＰＵ３１５及び３２０は、様々な周波数帯域で受信されたＯＦＤＭＡシンボルの復調及びデコーディングを行ってデータを抽出するか、又はデータをＯＦＤＭＡシンボルにエンコーディングして変調する。すなわち、ＯＰＵ３１５及び３２０は、ＭＳから受信されたＯＦＤＭＡデータ信号をデコーディングして、ＭＡＣフレームを抽出し、該抽出されたＭＡＣフレームを該当するＣＰＵへ伝達し、ＣＨＵ３２５，３３０，３３５，及び３４０から受信されたＭＡＣフレームをＯＦＤＭＡシンボルにエンコーディングして、該ＯＦＤＭＡシンボルをＭＳへ送信する。
【００１５】
ＣＨＵ３２５，３３０，３３５，及び３４０は、上記受信されたＭＡＣフレームから上位層プロトコルデータユニット（Protocol Data Unit；以下、“ＰＤＵ”と称する。）（例えば、ＩＰパケット）を生成するか、又は上位層ＰＤＵをＭＡＣフレームに分割する。すなわち、ＣＨＵ３２５，３３０，３３５，３４０は、バスを介してＯＰＵ３１５及び３２０から受信されたＭＡＣフレームを集めて上位層ＰＤＵを生成し、該生成された上位層ＰＤＵをＮＰＵ３４５へ送信するか、又は、ＮＰＵ３４５から受信された上位層ＰＤＵをＭＡＣフレームに分割して、該ＭＡＣフレームをＯＰＵ３１５及び３２０へ送信する。ＮＰＵ３４５は、ＢＳに接続されているネットワーク、すなわち、ＢＳ又はＡＳＡサーバと通信するための機能を遂行する。
【００１６】
ＣＰＵ３１０は、ＢＳのすべての制御機能を担当する。すなわち、ＢＳオペレータから入力された命令語に対応する機能を遂行するための命令を、全てのユニットへ送信する。
【００１７】
図３に示すように、ＢＳは、たとえＣＰＵが故障によりディスエーブル又はアンインストールされても、ＭＳのデータを処理し、該処理されたデータを“ＩＢ”又は“Ａ”インターフェースを用いて送信することができる構成を有する。このように、システムは、１つのユニットがディスエーブル又はアンインストールされた場合でも、ＢＳの機能に影響を及ぼさない構成を有する。
【００１８】
図４は、ＯＦＤＭ／ＯＦＤＭＡ方式を使用する移動通信システムにおけるダウンリンク（ＤＬ）フレームフォーマットを概略的に示す図である。特に、図４は、ＩＥＥＥ８０２．１６通信システムのＤＬフレームフォーマットを概略的に示すものである。
【００１９】
図４を参照すると、ＤＬフレームは、プリアンブル領域４００と、ブロードキャスト制御領域４１０と、複数の時分割多重（Time Division Multiplexing；以下、“ＴＤＭ”と称する。）又は時分割多重接続（Time Division Multiple Access；以下、“ＴＤＭＡ”と称する。）領域４２０，４３０と、から構成される。ＢＳとＭＳとの間の同期獲得のための同期信号、すなわち、プリアンブルシーケンスは、プリアンブル領域４００で送信される。
【００２０】
ブロードキャスト制御領域４１０は、フレーム制御ヘッダー（Frame Control Header；以下、“ＦＣＨ”と称する。）フィールド４１５と、ＤＬ_ＭＡＰフィールド４１１と、ＵＬ（UpLink）_ＭＡＰフィールド４１３と、から構成される。ここで、ＦＣＨフィールドは、ダウンリンクフレームプレフィックス（DownLink Frame Prefix；以下、“ＤＬＦＰ”と称する。）情報が送信されるフィールドとして、図４には、ＤＬＦＰで示される。このＤＬＦＰのフォーマットは、＜表１＞に示される。
【表１】
2008547352.tif 000003
【００２１】
上記の＜表１＞に示すように、ＤＬＦＰフィールドは、複数の情報要素（Information Element；以下、“ＩＥ”と称する。）を含む。かかるＩＥは、ＤＬフレームの部分使用サブチャネルゾーンで使用されたサブチャネルのグループ数を示す、使用されるサブチャネルビットマップ（Ｕｓｅｄ  ｓｕｂｃｈａｎｎｅｌ  ｂｉｔｍａｐ）、ＤＬ_ＭＡＰに使用された反復符号化指示（Ｒｅｐｅｔｉｔｉｏｎ＿Ｃｏｄｅｉｎｇ＿Ｉｎｄｉｃａｔｉｏｎ）、ＤＬ_ＭＡＰの送信のために使用された変調及び符号化方式を示す符号化指示（Ｃｏｄｅｉｎｇ＿Ｉｎｄｉｃａｔｉｏｎ）、及びＤＬ_ＭＡＰ長（ＤＬ-ＭＡＰ＿Ｌｅｎｇｔｈ）である。
【００２２】
ＤＬ_ＭＡＰフィールド４１１は、ＤＬ_ＭＡＰメッセージが送信されるフィールドである。ＤＬ_ＭＡＰメッセージに含まれているＩＥは、＜表２＞に示される。
【表２】
2008547352.tif 000004
【００２３】
上記の＜表２＞に示すように、ＤＬ_ＭＡＰメッセージは、複数のＩＥを含む。かかるＩＥは、送信されるメッセージのタイプを示すマネージメントメッセージタイプ（Ｍａｎａｇｅｍｅｎｔ  Ｍｅｓｓａｇｅ  Ｔｙｐｅ）、同期取得のための物理チャネルに適用された変調及び復調方式にマッピングされたＰＨＹ同期フィールド（ＰＨＹ  Ｓｙｎｃｈｒｏｎｉｚａｔｉｏｎ  Ｆｉｅｌｄ）、ＤＬバーストプロフィールを含んでいるダウンリンクチャネルディスクリプタ（Downlink Channel Descriptor；以下、“ＤＣＤ”と称する。）メッセージの構成変化にマッピングされたＤＣＤカウント、ＢＳ識別子（Ｂａｓｅ  Ｓｔａｔｉｏｎ  ＩＤ）、及びＢＳ ＩＤの次にくるＤＬ_ＭＡＰエレメントの個数（Ｎｕｍｂｅｒ  ｏｆ  ＤＬ−ＭＡＰ  Ｅｌｅｍｅｎｔｓ）である。
【００２４】
ＤＬバーストプロフィールをデコーディングするために、ＤＬ-ＭＡＰ ＩＥは、変調及び符号化方式と物理的な特性とを示すためのＤＣＤメッセージに、１対１対応でマッピングされる。すなわち、ＤＣＤメッセージは、ＤＬバーストプロフィールを含む。従って、ＭＳは、ＤＬ-ＭＡＰメッセージを受信し、該受信されたＤＬ-ＭＡＰメッセージをデコーディングする前に、ＤＣＤ情報を予め認識しなければならない。
【００２５】
ＤＣＤメッセージに含まれているＩＥは、＜表３＞に示される。
【表３】
2008547352.tif 000005
【００２６】
上記の＜表３＞に示すように、ＤＣＤメッセージは、複数のＩＥを含む。かかるＩＥは、送信されるメッセージのタイプを示すマネージメントメッセージタイプ（Ｍａｎａｇｅｍｅｎｔ  Ｍｅｓｓａｇｅ  Ｔｙｐｅ）、使用されるＤＬ ＩＤ（Ｄｏｗｎｌｉｎｋ  ｃｈａｎｎｅｌ  ＩＤ）、ＤＬチャネル情報の構成変化にマッピングされた構成変化カウント（Ｃｏｎｆｉｇｕｒａｔｉｏｎ  Ｃｈａｎｇｅ  Ｃｏｕｎｔ）、全体のチャネルに関するタイプ／長さ／値（ＴＬＶ）符号化情報、及びＰＨＹ特定部（ＰＨＹ  ｓｐｅｃｉｆｉｃ）である。また、ＵＬ-ＭＡＰフィールド４１３は、ＵＬ-ＭＡＰメッセージが送信されるフィールドである。
【００２７】
上述したように、ＩＥＥＥ８０２．１６通信システムにおいて、ＢＳのＣＰＵは、ＢＳの全体的な制御を担当する。すなわち、ＣＰＵは、ＢＳ構成／設定情報、ＭＳとの接続に関する情報、ＭＳの状態情報（例えば、ＭＳのスリープモード、正常状態、及びアイドルモードに関する情報）、及びＭＳ構成／設定情報を管理し、発生される複数のイベントにマッピングされた適切な動作を遂行する。しかしながら、ＣＰＵに予期せぬエラーが発生するか、又はオペレータがＣＰＵを再起動する場合には、ＭＳは、これを認識することができない。従って、ＣＰＵがリセットされて再起動した場合には、ＭＳは、ＣＰＵがリセットされて再起動したことを認識できない状態で、自身のデータトラフィックを継続して送信する。この場合には、ＣＰＵは、該ＣＰＵにより管理された接続、状態及び構成情報がリセットにより存在しないために、関連するＭＳを管理することができない。
【００２８】
言い換えれば、ＭＳは、ＣＰＵのリセットの前に既に割り当てられた接続ＩＤ（ＣＩＤ）を用いてＵＬデータを送信するが、ＢＳは、サービスを受けるためにＭＳで使用されたＣＩＤを全く認識することができない。従って、ＢＳのＣＰＵがリセットされる場合には、ＢＳとＭＳとの間の状態同期化（state synchronization）を保持させることができる方法が切実に必要とされる。
【発明の開示】
【発明が解決しようとする課題】
【００２９】
上記背景に鑑みて、本発明の目的は、広帯域無線接続通信システムにおける基地局と移動局との間の状態同期化を保持させることができるシステム及び方法を提供することにある。
【課題を解決するための手段】
【００３０】
上記のような目的を達成するために、本発明の一の側面によれば、移動通信システムの移動局における基地局との状態同期化のための方法が提供され、かかる方法は、上記基地局の状態変更を示す現在のカウント値を受信するステップと、該受信された現在のカウント値を以前に受信されて格納された以前のカウント値と比較するステップと、上記現在のカウント値が上記以前のカウント値と相互に異なる場合には、上記基地局とネットワーク進入手順を遂行するステップと、を含む。
【００３１】
本発明の他の側面によれば、移動通信システムの基地局における移動局との状態同期化のための方法が提供され、かかる方法は、上記基地局の中央演算処理装置（ＣＰＵ）を再起動するステップと、上記再起動に従うカウント値を設定し、該設定されたカウント値を上記移動局へ送信するステップと、上記移動局とネットワーク進入手順を遂行するステップと、を含む。
【００３２】
本発明のさらなる他の側面によれば、移動通信システムにおける基地局と移動局との間の状態同期化のためのシステムが提供され、かかるシステムは、上記移動局と上記基地局との間の状態変更を示す現在のカウント値を設定して送信する上記基地局と、上記基地局から上記カウント値を受信し、該受信された現在のカウント値を以前に受信されて格納された以前のカウント値と比較して、上記現在のカウント値が上記以前のカウント値と異なる場合には、上記基地局とネットワーク進入手順を遂行する上記移動局と、を含む。
【００３３】
本発明のさらなる他の１つの側面によれば、移動通信システムにおける基地局と移動局との間の状態同期化のための方法が提供され、かかる方法は、上記基地局の状態変更を示すカウント値を設定し、該カウント値を含む基地局リセット指示子（ＢＳ_ＲＥＳＥＴ_ＩＮＤ）メッセージを上記移動局へ送信するステップと、上記移動局が上記基地局リセット指示子メッセージに含まれた上記設定されたカウント値を抽出するステップと、上記抽出されたカウント値を以前に抽出されて格納された以前のカウント値と比較するステップと、上記設定されたカウント値が上記以前のカウント値と異なる場合には、上記基地局とネットワーク進入手順を遂行するステップと、を含む。
【００３４】
本発明のさらに他の側面によれば、移動通信システムにおける基地局と移動局との間の状態同期化のための方法が提供され、かかる方法は、上記基地局に関連した状態変更を示すカウント値を設定し、タイプ／長さ／値（ＴＬＶ）エンコーディングフィールドを構成して上記移動局へ送信するステップと、上記移動局が上記ＴＬＶエンコーディングフィールドに含まれた上記設定されたカウント値を抽出するステップと、上記抽出された上記設定されたカウント値を、以前に抽出されて格納された以前のカウント値と比較するステップと、上記設定されたカウント値が上記以前のカウント値と異なる場合には、上記基地局とネットワーク進入手順を遂行するステップと、を含む。
【００３５】
本発明のさらにまた他の側面によれば、移動通信システムにおける基地局と移動局との間の状態同期化のための方法が提供され、かかる方法は、上記基地局に関連した状態変更を示すカウント値を設定し、該カウント値を含むダウンリンクフレームプレフィックス（ＤＬＦＰ）を構成して送信するステップと、上記移動局が、上記ＤＬＦＰに含まれた上記設定されたカウント値を抽出するステップと、該抽出された上記設定されたカウント値を以前に格納された以前のカウント値と比較するステップと、上記設定されたカウント値が上記以前のカウント値と異なる場合には、上記基地局とネットワーク進入手順を遂行するステップと、を含む。
【００３６】
本発明のさらにその他の側面によれば、移動通信システムの移動局における基地局との状態同期化のための方法が提供され、かかる方法は、初期レンジング要求を上記基地局へ送信するステップと、上記基地局の状態変更の回数を示す第１のカウント値を含む、上記初期レンジング要求に対する応答を、上記基地局から受信するステップと、上記第１のカウント値を格納するステップと、上記基地局から状態変更の回数を示す第２のカウント値を受信するステップと、上記第２のカウント値が上記第１のカウント値と異なる場合には、上記基地局とネットワーク進入手順を遂行するステップと、を含む。
【発明の効果】
【００３７】
本発明による広帯域無線接続通信システムにおけるＢＳのＣＰＵが再起動する場合には、当該ＢＳは、再起動に従って変更された再起動カウント値をＭＳに通知する。当該ＭＳは、以前の再起動カウント値を新たな再起動カウント値と比較する。かかる２つの値が異なる場合には、ＭＳは、ネットワーク進入手順を遂行することにより、ＢＳとの状態同期化を保持させることができる。また、ＢＳ自身の問題により、ＭＳの状態情報、構成情報、及び接続情報が初期化される場合には、ネットワーク進入手順は、１回の命令に応じて遂行されることができ、それにより、リソースが効率的に管理されることができる。
【発明を実施するための最良の形態】
【００３８】
以下、本発明の好適な実施形態を、添付図面を参照しつつ詳細に説明する。下記の説明において、明瞭性と簡潔性の観点から、当業者に良く知られている機能や構成に関する具体的な説明は、省略する。
【００３９】
本発明は、移動通信システムにおける基地局（ＢＳ）と移動局（ＭＳ）との間の接続、状態、及び構成同期を保持させることができるシステム及び方法である。
【００４０】
より詳細には、本発明のＢＳは、該ＢＳがクリティカルエラー或いはオペレータの意図により再起動する場合には、再起動カウント値を１ずつ増加させて、ＢＳが再起動したことをＭＳに通知する。例えば、ＢＳの制御処理器（ＣＰＵ）は、クリティカルエラーが発生した場合に、シャットダウンされて再起動することができる。以前に受信された再起動カウント値が現在受信されている再起動カウント値と異なる場合には、ＭＳは、ＢＳとネットワーク進入手順を遂行する。以下、上記の接続、状態及び構成同期を“状態同期”と称する。
【００４１】
第１の実施形態
本発明の第１の実施形態において、ＢＳは、ＣＰＵが再起動したか否かを示すメッセージとして、ＢＳリセット指示子（ＢＳ_ＲＥＳＥＴ_ＩＮＤ）メッセージを新たに定義する。ＢＳは、ＢＳ_ＲＥＳＥＴ_ＩＮＤメッセージにＣＰＵ再起動カウント情報に対応する再起動カウントフィールドを含み、かかるＢＳ_ＲＥＳＥＴ_ＩＮＤメッセージを周期的に又は非周期的にＭＳにブロードキャストする。ＢＳ_ＲＥＳＥＴ_ＩＮＤメッセージが受信される場合には、ＭＳは、再起動カウント値を、以前に受信されたＢＳ_ＲＥＳＥＴ_ＩＮＤメッセージのオールド再起動カウント値と比較する。２つの値が相互に異なる場合には、ＭＳは、ＢＳとネットワーク進入手順を遂行する。＜表４＞は、この新たに定義されたＢＳ_ＲＥＳＥＴ_ＩＮＤメッセージフォーマットを示す。 
【表４】
2008547352.tif 000006
【００４２】
上記の＜表４＞に示すように、本発明の第１の実施形態で新たに定義されたＢＳ_ＲＥＳＥＴ_ＩＮＤメッセージは、ＢＳの再起動に従ったカウント値を示すための再起動カウント（Ｒｅｓｔａｒｔ  Ｃｏｕｎｔ）フィールドを含む。一方、ＢＳ_ＲＥＳＥＴ_ＩＮＤメッセージは、正常状態で動作するＭＳだけでなく、スリープモード又はアイドルモードで動作するＭＳがＢＳ_ＲＥＳＥＴ_ＩＮＤメッセージを受信することができなければならないため、１回以上周期的に又は非周期的にブロードキャストされる。
【００４３】
ここで、初期レンジングが遂行されてＢＳに登録されたＭＳが、ＢＳ_ＲＥＳＥＴ_ＩＮＤメッセージを最初に受信する場合には、当該ＢＳ_ＲＥＳＥＴ_ＩＮＤメッセージに含まれている再起動カウントは、オールド再起動カウント値として格納される。
【００４４】
一方、初期レンジングを遂行するＭＳは、レンジング要求（ＲＮＧ-ＲＥＱ）メッセージをＢＳへ送信し、当該ＢＳからレンジング応答（ＲＮＧ-ＲＳＰ）メッセージを受信する。上記再起動カウントフィールドがＲＮＧ-ＲＳＰメッセージのタイプ／長さ／値（ＴＬＶ）エンコーディングフィールドに含まれている場合には、上記初期レンジングを遂行するＭＳは、上記受信された再起動カウント値をオールド再起動カウント値として格納することができる。
【００４５】
図５は、本発明の第１の実施形態による移動通信システムにおけるＢＳとＭＳとの間の状態同期化を示す信号フロー図である。
【００４６】
図５を参照すると、まず、ＢＳ５５０は、ＢＳ_ＲＥＳＥＴ_ＩＮＤメッセージを周期的に又は非周期的にＭＳ５００へ送信する（ステップ５０２及びステップ５０４）。ＭＳ５００は、このメッセージが受信される度に、この受信されたＢＳ_ＲＥＳＥＴ_ＩＮＤメッセージに含まれている現在の再起動カウント値を、以前に格納されたオールド再起動カウント値と比較する（ステップ５０６）。
【００４７】
ＢＳ５５０のＣＰＵが再起動した場合には（ステップ５０８）、ＢＳ５５０は、この再起動カウント値を１増加させ（ステップ５１０）、該増加された再起動カウント値をＢＳ_ＲＥＳＥＴ_ＩＮＤメッセージに含めて、かかるＢＳ_ＲＥＳＥＴ_ＩＮＤメッセージをＭＳ５００へ送信する（ステップ５１２）。
【００４８】
ＭＳ５００は、ＢＳ_ＲＥＳＥＴ_ＩＮＤメッセージを受信して、このメッセージに含まれている現在の再起動カウント値が以前に格納されたオールド再起動カウント値と同一であるか否かを判定する（ステップ５１４）。当該２つの値が異なる場合には、ＭＳは、ＢＳ５５０のＣＰＵが再起動したことを認識して、ＢＳとの状態同期化のためのネットワーク進入手順を遂行する（ステップ５１６）。
【００４９】
第２の実施形態
本発明の第２の実施形態において、ＣＰＵが再起動したか否かを示すためのメッセージとして、従来のＤＣＤメッセージを一部変更することにより得られた新たなＤＣＤメッセージを使用する。従来のＤＣＤメッセージは、複数のＴＬＶエンコーディングフィールドを含む。本発明の第２の実施形態によるＤＣＤメッセージは、新たな再起動カウントＴＬＶエンコーディングフィールドを付加的に含む。この再起動カウントＴＬＶエンコーディングフィールドは、＜表５＞に示されたように定義されることができる。
【表５】
2008547352.tif 000007
【００５０】
ＢＳのＣＰＵが再起動して、その再起動カウント値が変わる場合には、この再起動カウントＴＬＶエンコーディングフィールドは、ＤＣＤメッセージに含まれることができる。ＣＰＵが再起動しなかった場合には、ＢＳは、この再起動カウントＴＬＶエンコーディングフィールドを含まないＤＣＤメッセージをブロードキャストすることができる。この再起動カウントＴＬＶエンコーディングフィールドが含まれないＤＣＤメッセージを受信した場合には、ＭＳは、再起動カウント値が以前の再起動カウント値と同一であると判定する。もちろん、この再起動カウントＴＬＶエンコーディングフィールドは、この再起動カウント値がこの以前の再起動カウント値と同一であっても、ＤＣＤメッセージごとにブロードキャストされることができる。ＭＳは、この再起動カウント値を比較した後に、現在受信されている再起動カウント値をオールド再起動カウント値として格納する。
【００５１】
一方、この再起動カウントＴＬＶエンコーディングフィールドは、ＤＣＤメッセージだけではなく、ＴＬＶエンコーディングフィールドを使用する全てのＤＬメッセージに含まれてもよい。例えば、この再起動カウントＴＬＶエンコーディングフィールドは、ＤＬ-ＭＡＰメッセージに含まれて周期的にブロードキャストされてもよい。
【００５２】
図６は、本発明の第２の実施形態による移動通信システムにおけるＢＳとＭＳとの間の状態同期化を示す信号フロー図である。
【００５３】
図６を参照すると、ＢＳ６５０は、ＤＣＤメッセージを周期的にＭＳ６００へ送信する（ステップ６０２及びステップ６０４）。ＭＳ６００は、このメッセージが受信される度に、この受信されたＤＣＤメッセージに含まれている再起動カウントＴＬＶエンコーディングフィールドの現在の再起動カウント値を、以前に格納されたオールド再起動カウント値と比較する（ステップ６０６）。
【００５４】
ＢＳ６５０のＣＰＵが再起動した場合には（ステップ６０８）、ＢＳ６５０は、この再起動カウント値を１増加させ（ステップ６１０）、該増加された再起動カウント値を再起動カウントＴＬＶエンコーディングフィールドに含めて、このＤＣＤメッセージをＭＳ６００へ送信する（ステップ６１２）。
【００５５】
ＭＳ６００は、当該変更された再起動カウント値を有するＤＣＤメッセージを受信して、このメッセージに含まれている現在の再起動カウント値が以前に格納されたオールド再起動カウント値と同一であるか否かを判定する（ステップ６１４）。これら２つの値が異なる場合には、ＭＳは、ＢＳ６５０のＣＰＵが再起動したことを認識し、ＢＳとの状態同期化のためのネットワーク進入手順を遂行する（ステップ６１６）。
【００５６】
第３の実施形態
本発明の第３の実施形態では、ＣＰＵが再起動したか否かを示すために、修正されたダウンリンクフレームプレフィックス（DownLink Frame Prefix；以下、“ＤＬＦＰ”と称する。）情報を使用する。この修正されたＤＬＦＰフォーマットは、＜表６＞に示される。
【表６】
2008547352.tif 000008
【００５７】
ＤＬＦＰは、フレームごとにＦＣＨフィールドを介してＭＳへ送信される情報である。本発明の第３の実施形態に従って、ＤＬＦＰは、予約された５つのビットのうちの４つのビットを再起動カウントとして使用する。ここで、この再起動カウントが４つのビットに設定されることは、一例であって、再起動カウントのために使用されるビットの数は、変更されてもよい。
【００５８】
ＭＳは、現在受信されているＤＬＦＰの再起動カウント値を、以前に受信されたＤＬＦＰのオールド再起動カウント値と比較する。この２つの値が相違する場合には、ＭＳは、ＢＳとネットワーク進入手順を遂行する。その後、ＭＳは、現在受信されているＤＬＦＰの再起動カウント値をオールド再起動カウント値として格納する。
【００５９】
図７は、本発明の第３の実施形態による移動通信システムにおけるＢＳとＭＳとの間の状態同期化を示す信号フロー図である。
【００６０】
図７を参照すると、ＢＳ７５０は、ＤＬＦＰ情報が含まれたＤＬフレームをＭＳ７００へ周期的に送信する（ステップ７０２及びステップ７０４）。ＭＳ７００は、この情報が受信される度に、この受信されたＤＬフレームのＦＣＨに含まれているＤＬＦＰ情報の現在の再起動カウント値を、以前に格納されたオールド再起動カウント値と比較する（ステップ７０６）。
【００６１】
ＢＳ７５０のＣＰＵが再起動した場合には（ステップ７０８）、ＢＳ７５０は、この再起動カウント値を１増加させ（ステップ７１０）、該増加された再起動カウント値をＤＬＦＰ情報の再起動カウントフィールドに含めて、かかるＤＬＦＰ情報をＭＳ７００へ送信する（ステップ７１２）。
【００６２】
ＭＳ７００は、変更された再起動カウント値を有するＤＬＦＰ情報を受信して、該ＤＬＦＰ情報に含まれている現在の再起動カウント値が以前に格納されたオールド再起動カウント値と同一であるか否かを判定する（ステップ７１４）。２つの値が異なる場合には、ＭＳは、ＢＳ７５０のＣＰＵが再起動したことを認識し、ＢＳとの状態同期化のためのネットワーク進入手順を遂行する（ステップ７１６）。
【００６３】
図８は、本発明の実施形態によるＢＳとの状態同期化のためのＭＳの動作過程を示すフローチャートである。
【００６４】
図８を参照すると、ステップ８０２で、ＭＳは、ＢＳ_ＲＥＳＥＴ_ＩＮＤメッセージ、再起動カウントＴＬＶエンコーディングフィールドが含まれたＤＣＤメッセージ、又は再起動カウントフィールドが含まれたＤＬＦＰ情報をＢＳから受信して、ステップ８０４へ進む。ステップ８０４で、ＭＳは、各メッセージ又はＤＬＦＰ情報から抽出された再起動カウント値を、以前のメッセージ又はＤＬＦＰ情報に格納されているオールド再起動カウント値と比較する。この２つの値が同一である場合には、ＭＳは、ＢＳのＣＰＵが再起動しなかったものと認識して、ステップ８０２へ進む。しかしながら、この２つの値が相違する場合には、ＭＳは、ＢＳのＣＰＵが再起動し、状態同期化が適切でないことを認識して、ステップ８０６へ進む。ステップ８０６で、ＭＳは、ＢＳとネットワーク進入手順を遂行する。
【００６５】
図９は、本発明の実施形態によるＭＳとの状態同期化のためのＢＳの動作過程を示すフローチャートである。
【００６６】
図９を参照すると、ステップ９０２で、ＢＳは、ＢＳ_ＲＥＳＥＴ_ＩＮＤメッセージ、再起動カウントＴＬＶエンコーディングフィールドが含まれたＤＣＤメッセージ、又は再起動カウントフィールドが含まれたＤＬＦＰ情報をＭＳへ送信して、ステップ９０４へ進む。ステップ９０４で、ＣＰＵが再起動しなければならない場合には、ＢＳは、ステップ９０６へ進む。ステップ９０６で、ＢＳは、ＣＰＵを再起動し、ステップ９０８へ進む。ステップ９０８で、ＢＳは、再起動カウント値を１増加させ、ステップ９０２で、この増加された再起動カウント値を、ＢＳ_ＲＥＳＥＴ_ＩＮＤメッセージ、ＤＣＤメッセージ、又はＤＬＦＰ情報に含める。
【００６７】
上述したように、ＢＳは、そのＣＰＵを再起動した後に、再起動カウント値を１ずつ増加させて、ＣＰＵの再起動をＭＳに通知する。もちろん、本発明は、ＢＳがＣＰＵを再起動する前又は後に、ＣＰＵの再起動をＭＳに通知するための１ビット指示値を使用することができる。例えば、ＢＳは、ＣＰＵを再起動する前に、再起動指示値を１に設定してかかる再起動指示値をブロードキャストすることにより、所定の時間が経過した後に、ＭＳがネットワーク進入手順を遂行することができるようにする。或いは、ＢＳは、ＣＰＵを再起動した後に、この再起動指示値を１に設定してかかる再起動指示値をブロードキャストすることにより、ＭＳがネットワーク進入手順を遂行することができるようにする。
【００６８】
本発明に従えば、ＢＳのＣＰＵが再起動する場合を除いて、ＢＳが管理する全てのＭＳに関する状態／構成／接続情報を一度に初期化する場合には、ＢＳは、再起動カウントを意図的に増加させ、該増加された再起動カウントをＭＳに通知する。ＭＳは、該増加された再起動カウントを受信して、ＢＳが再起動したものと認識し、それにより、ネットワーク進入手順を遂行する。
【００６９】
なお、本発明の詳細な説明においては、具体的な実施の形態について説明したが、当業者であれば、本発明の範囲から逸脱することなく、様々な変形、付加、及び置換が可能であることが分かるであろう。したがって、本発明の範囲は、上述した実施の形態に限定されるものではなく、特許請求の範囲とその均等物によって定められるべきである。
【図面の簡単な説明】
【００７０】
【図１】従来のＩＥＥＥ（Institute of Electrical and Electronics Engineers）８０２．１６通信システムの構成を概略的に示す図である。
【図２】従来の移動通信システムのネットワーク参照モデルを示す図である。
【図３】従来の移動通信システムにおけるＢＳの内部構成を示す図である。
【図４】直交周波数分割多重／直交周波数分割多重接続（ＯＦＤＭ／ＯＦＤＭＡ）方式を使用する移動通信システムにおけるダウンリンクフレームフォーマットを概略的に示す図である。
【図５】本発明の第１の実施形態による移動通信システムにおけるＢＳと移動局（ＭＳ）との間の状態同期化を示す信号フロー図である。
【図６】本発明の第２の実施形態による移動通信システムにおけるＢＳとＭＳとの間の状態同期化を示す信号フロー図である。
【図７】本発明の第３の実施形態による移動通信システムにおけるＢＳとＭＳとの間の状態同期化を示す信号フロー図である。
【図８】本発明の実施形態によるＢＳとの状態同期化のためのＭＳの動作過程を示すフローチャートである。
【図９】本発明の実施形態によるＭＳとの状態同期化のためのＢＳの動作過程を示すフローチャートである。
【図１】
2008547352.tif 000009
【図２】
2008547352.tif 000010
【図３】
2008547352.tif 000011
【図４】
2008547352.tif 000012
【図５】
2008547352.tif 000013
【図６】
2008547352.tif 000014
【図７】
2008547352.tif 000015
【図８】
2008547352.tif 000016
【図９】
2008547352.tif 000017
【国際調査報告】
2008547352.tif 000018
2008547352.tif 000019